(57)【要約】　【課題】　モデムまたはターミナルアダプタパソコンを用いず電話回線を介してテキストデータ所望の電話端末装置に転送する。　【解決手段】　電話端末装置に、Ｂチャネルによって音声通信を行うハンドセット３２と、テキストデータおよび送信先情報を入力するキーボード３３と、画面切替機能によって電話機能の各種画面を切り替えて表示するＬＣＤ３４とを備え、ＬＣＤ３４にテキストデータ送受信用の表示画面を表示させて、キーボード３３からテキストデータおよび送信先情報を入力可能にし、入力されたテキストデータおよび送信先情報を含むメッセージを、Ｂチャネルとは異なるチャネルを介して電話交換装置に送信する。【選択図】図３
2004104827.tif 000002
【特許請求の範囲】
【請求項１】
　電話交換装置に接続され、当該電話交換装置との間は音声通信を行う第１のチャネルおよび音声通信以外の通信を行う第２のチャネルで接続される電話端末装置において、
　前記第１のチャネルによって音声通信を行う通話手段と、
　テキストデータおよび送信先情報を入力する入力手段と、
　画面切替機能によって電話機能の各種画面を切り替えて表示する表示手段と、
　前記表示手段にテキストデータ送受信用の表示画面を表示させる画面切替手段と、
　前記画面切替手段によって、前記表示手段にテキストデータ送信用の表示画面を表示させることにより前記入力手段からテキストデータおよび送信先情報を入力可能にし、当該入力されたテキストデータおよび送信先情報を含むメッセージを、前記第２のチャネルを介して前記電話交換装置に送信する通信制御手段と、
を備えたことを特徴とする電話端末装置。
【発明の詳細な説明】
【技術分野】
【０００１】
　本発明は、電話交換システムに収容される電話端末装置において、入力されたテキストデータを他の電話端末装置に転送する電話端末装置に関する。
【背景技術】
【０００２】
　従来、テキストデータを転送するには、モデムやターミナルアダプタを介してパソコン等を電話交換装置に接続しておき、電話交換装置を介して通話路を設定した後に、一方のパソコン上で作成したテキストデータを他方のパソコンやサーバ上に転送するようにしていた。
【特許文献１】特開平５−２０７５４４号公報
【特許文献２】特開平５−２５２１９９号公報
【特許文献３】特開平７−１５４４１８号公報
【発明の開示】
【発明が解決しようとする課題】
【０００３】
　従来技術によれば、テキストデータを転送する際に、モデムまたはターミナルアダプタが電話交換装置に対して発呼し、相手先のモデムまたはターミナルアダプタがこれに応答して電話交換装置を介して通話路を設定した後に、テキストデータを転送することになるので、テキストデータの転送には多くの手間を要していた。
【課題を解決するための手段】
【０００４】
　本発明は、電話交換装置に接続され、当該電話交換装置との間は音声通信を行う第１のチャネルおよび音声通信以外の通信を行う第２のチャネルで接続される電話端末装置において、前記第１のチャネルによって音声通信を行う通話手段と、テキストデータおよび送信先情報を入力する入力手段と、画面切替機能によって電話機能の各種画面を切り替えて表示する表示手段と、前記表示手段にテキストデータ送受信用の表示画面を表示させる画面切替手段と、前記画面切替手段によって前記表示手段にテキストデータ送信用の表示画面を表示させることにより前記入力手段からテキストデータおよび送信先情報を入力可能にし、当該入力されたテキストデータおよび送信先情報を含むメッセージを、前記第２のチャネルを介して前記電話交換装置に送信する通信制御手段と、を備えたことを特徴とする。
【発明の効果】
【０００５】
　本発明によれば、モデムまたはターミナルアダプタを用いて通話路を設定することなく、電話端末装置のみによってテキストデータを送信先の電話端末装置に転送することができる。
【発明を実施するための最良の形態】
【０００６】
　図１は、本発明の一実施の形態によるテキストデータ転送方法および装置が適用されるディーリング・システムのブロック図である。このシステムは通話路スイッチ１を備え、この通話路スイッチ１は専用内線回路（ＤＬＩＮ）２を介してディーラーボード等の複数の電話端末装置３に接続されている。
【０００７】
　専用内線回路２と電話端末装置３との間は音声信号および呼制御信号を送受信する接続ケーブル４で結ばれている。また、通話路スイッチ１はトランク（ＴＲＫ）５を介して局線回線、ホットラインまたは支店回線等に接続されている。なお、電話端末装置３はＩインターフェイス（ＩＳＤＮ標準ユーザー・網インターフェイス）を持った端末である。
【０００８】
　中央制御装置（ＣＣ）６は、このシステム全体を制御するもので、電話端末装置３間の呼制御や、電話端末装置３と局線回線、ホットラインまたは支店回線との間の呼制御を行うものである。また、記憶装置（ＭＭ）７は、中央制御装置６がシステムを制御するために必要なプログラム、局データおよび各種テーブルを記憶するもので、制御バス８によって中央制御装置６に接続されている。
【０００９】
　また、制御バス８には通話路スイッチ１が接続されており、さらに、図示していないが、中央制御装置６と専用内線回路２およびトランク５とは論理的に接続されている。これによって中央制御装置６の制御下で通話路スイッチ１、専用内線回路２およびトランク５が動作することになり、交換装置を構成している。
【００１０】
　図２は、電話端末装置３の盤面図で、筐体３１に通話用のハンドセット３２およびキーボード３３が接続されている。筐体３１の正面には大型の液晶表示装置（ＬＣＤ）３４が取り付けられており、その左下隣には回線着信表示を可聴表示する着呼リンガー３５が取り付けられている。
【００１１】
　ＬＣＤ３４は画面上に多数のボタンを表示し、ページ機能を有して各ページ毎に局線回線、ホットラインまたは支店回線の回線群と、各種オートダイヤルを収容している。図２の画面上方に表示されている回線ボタンＬ１は、局線回線、ホットラインまたは支店回線等を収容し、回線の発信および着信応答等を行う。
【００１２】
　画面下方に表示されている「メモメール」ボタン３４ａは他端末からのメモメールメッセージの送受信を行うためのボタンで、画面のページを切り替えても必ず表示されるボタンである。「切断」ボタン３４ｂは通話を切断するボタンであり、「保留」ボタン３４ｃは通話を保留するボタンであり、さらに「前ページ」ボタン３４ｄおよび「後ページ」ボタン３４ｅは画面のページを切り替えるボタンである。
【００１３】
　図３は、電話端末装置３のハードウェア構成を示すブロック図で、呼制御プロセッサ（ＭＰＵ）４０によって制御される。ＭＰＵ４０は制御バス４１に接続されており、この制御バス４１には、一時記憶装置（ＲＡＭ）４２、固定記憶装置（ＲＯＭ）４３、呼制御メッセージ送受信バッファ４４、ＬＣＤコントローラ４５、タッチシステム・コントローラ４６、リンガードライバ４７、ハードディスク・コントローラ４８およびキーボード・コントローラ４９がそれぞれ接続されている。
【００１４】
　ＭＰＵ４０は固定記憶装置４３に記憶されているブートプログラムに従い、ハードディスク・コントローラ４８を経由してハードディスク装置５０に記憶されている呼制御プログラムを読み出し、一時記憶装置４２に書き込む。呼制御プログラムの読込みおよび書込みが終了すると、一時記憶装置４２に記憶した呼制御プログラムの実行が可能となる。一時記憶装置４２はこのほかに局データ、すなわち納入局毎および端末装置毎に異なるデータを記憶すると共に、ＭＰＵ４０がプログラムを遂行する途中で発生する一時的な情報を記憶する。
【００１５】
　呼制御メッセージ送受信バッファ４４は交換装置との間で呼制御メッセージの送受信を行うものであり、受信回路５１と送信回路５２とが接続されている。受信回路５１は交換装置からＩＳＤＮ（サービス総合ディジタル通信網）の基本インターフェイスの信号用チャンネル（Ｄチャンネル）を介して回線の状態を含む呼制御メッセージを受信し、送信回路５２は交換装置に対しＤチャンネルを介して呼制御メッセージを送信する。
【００１６】
　ＬＣＤコントローラ４５はＬＣＤ３４を接続し、ＭＰＵ４０からの制御に基づいて各画面、各キー、各キーの中の回線名称、各キーの色付け等の表示制御を行う。タッチシステム・コントローラ４６はＬＣＤ３４の画面上に実装されたタッチシステム５３を、使用者が指で押さえた点のＸ座標、Ｙ座標の各座標データをＭＰＵ４０に送信する。座標データを受信したＭＰＵ４０は座標点と一時記憶装置４２に書き込まれている現在の表示画面情報から各画面毎のキーに変換し、呼制御およびページ切替え等の処理を行う。リンガードライバ４７は着呼リンガー３５を接続し、ＭＰＵ４０からの音色情報をもとに着呼を可聴表示する制御を行う。キーボード・コントローラ４９はキーボード３３を接続し、キー情報をＭＰＵ４０に送信する。
【００１７】
　また、通話用ハンドセット３２は通話回路５４を介してＩＳＤＮ基本インターフェイスの２つの音声用チャンネル（Ｂチャンネル）Ｂ１，Ｂ２のうちの１つのＢチャンネルに接続され、さらに交換装置の内線専用回路（ＤＬＩＮ）２を介して通話路スイッチ１に接続されている。
【００１８】
　なお、２つのＢチャンネルおよびＤチャンネルは、実際には時分割多重によりディジタル通信されるものであるが、ここでは便宜上、空間分割型で説明している。従って、図３においては、２つのＢチャンネルおよびＤチャンネルを時分割多重する回路および時分割多重を分離する回路の記載は省略してある。
【００１９】
　次に、図４に示すフローチャートを参照しながら、一時記憶装置４２に記憶したメモメール端末送信制御プログラムによる端末送信処理について説明する。この処理は電話端末装置３からテキストデータを送信するための処理手順を示すもので、ＬＣＤ３４の画面に表示されるメニュー画面（図２）の「メモメール」ボタン３４ａを押すことで起動される。
「メモメール」ボタン３４ａが押されると、ＬＣＤ３４の画面にメモメールメニュー画面が表示され、画面中の「送信」ボタンを押すとメモメール送信入力画面が表示される（ステップＳ１１）。図５に、メモメール送信入力画面の例を示す。この画面は送信メッセージを表示するウィンドウＧ１、送信種別を選択する「全台」ボタンＧ２および「個別」ボタンＧ３、メッセージの入力が終了し他の通話台へメモメールメッセージを送信するときに押す「送信」ボタンＧ４、入力したメッセージをキャンセルする「キャンセル」ボタンＧ５を備える。
【００２０】
　送信種別のボタンＧ２またはＧ３を押すと、押したボタンに対応する送信先を選択する（ステップＳ１２）。「全台」ボタンＧ２を押すと記憶装置７に登録されている通話台の全てを選択し、「個別」ボタンＧ３を押すと通話台内線番号を最大２０台まで入力することができる。選択した送信種別および入力した通話台内線番号は一時記憶装置４２に記憶し、メモメールメッセージを編集する際に送信種別および送信先の通話台内線番号として使用され、その後に破棄される。
【００２１】
　次いで、キーボード３３から送信メッセージを入力すると、送信入力画面のウィンドウＧ１に表示され、周期的に起動されるプログラムで一時記憶装置４２に送信テキストとして記憶される（ステップＳ１３）。送信メッセージの入力が全て終了すると、送信テキストとして蓄積されているメッセージを他の通話台にメモメールメッセージとして送信するために、「送信」ボタンＧ４を押す（ステップＳ１４）。なお、蓄積されたテキストデータはメモメールメッセージを編集する際に送信メッセージ内容として使用され、その後に破棄される。
【００２２】
　次いで、メモメールメッセージ（呼制御メッセージ）に変換するための処理が始まる。まず、キーボード３３から入力された文字データの文字数が半角で６０文字以上か否か判断する（ステップＳ１５）。半角で６０文字以上の場合は呼制御メッセージとして送信する情報数を超えているため、メッセージを分割する必要があるためである。
【００２３】
　文字数が半角で６０文字以上の場合は呼制御メッセージを分割する。例えば文字数が１２０文字以下の場合は２メッセージに、１２０文字以上の場合は３メッセージにそれぞれ分割する（ステップＳ１６）。メモメールで一度に送信できる文字数は半角１５０文字であるため最大でも３メッセージで送信する。ただし、これは文字受信バッファの制限によるもので、インターフェイス上は２５５メッセージまでチェーンすることが可能なため、最大メッセージの上限はもっと上である。文字数が半角で６０文字未満の場合はステップＳ１６の処理をジャンプする。
【００２４】
　次いで、ステップＳ１６で分割した文字データまたは分割しなかった文字データを呼制御メッセージに変換し（ステップＳ１７）、次に通話台内線番号を呼制御メッセージに設定する（ステップＳ１８）。この情報がないと送信先通話台および一度受信し再分配する中央制御装置６はどの通信台から送信されたか分からないため必要である。受信側ＰＢＸでは、送信元通話台内線番号がイリーガルの場合は送信先へは送信せず、メッセージを破棄する。
【００２５】
　次いで、送信種別（全台または個別）を呼制御メッセージに設定する（ステップＳ１９）。個別の場合は内線番号を最大２０個設定できる。次いで、こうして編集した呼制御メッセージを呼制御メッセージ送受信バッファ４４に書き込む。書き込みが終了すると、送信回路５２から送信し、Ｄチャンネルを通じて内線専用回路２から交換装置に送る（ステップＳ２０）。
【００２６】
　次に、図６に示すフローチャートを参照しながら、送信された呼制御メッセージを受信し、送信先通話台にこの受信した呼制御メッセージを配布するためのＰＢＸ受信送信処理について説明する。
【００２７】
　まず、呼制御メッセージ（メモメールメッセージ）を受信する（ステップＳ３１）。呼制御メッセージの受信は周期的に監視することで行われる。受信した呼制御メッセージは中央処理装置６の一時記憶メモリに記憶され、次の処理に渡される。
【００２８】
　次いで、受信した呼制御メッセージの中から送信元通話台内線番号を読み出し（ステップＳ３２）、正常かどうかチェックする（ステップＳ３３）。送信元通話台内線番号が異常なフォーマット形式や登録されていない内線番号の場合は、異常呼制御メッセージを受信したと判断し、受信した呼制御メッセージを破棄し（ステップＳ３４）、処理を終了する。
【００２９】
　受信した呼制御メッセージが正常であれば、呼制御メッセージの中の送信種別を読み出し（ステップＳ３５）、送信種別が全台か否か（ステップＳ３６）、次いで個別か否か（ステップＳ３７）を判断する。送信種別が全台でも個別でもない場合は、異常呼制御メッセージを受信したと判断し、受信した呼制御メッセージを破棄して（ステップＳ３４）、処理を終了する。
【００３０】
　送信種別が個別の場合は、呼制御メッセージの中から送信先の内線番号を読み出し（ステップＳ３８）、読み出した内線番号毎に受信した呼制御メッセージをメモメール送信メッセージに変換し（ステップＳ３９）、読み出した内線番号に送信する（ステップＳ４０）。この処理は読み出した全ての内線番号に対して行う（ステップＳ４１）。
【００３１】
　メッセージ種別が全台の場合は（ステップＳ３６）、交換装置内の記憶装置７に記憶されている全内線の内線番号、端末種別、規制クラス等の内線毎の情報をサーチし（ステップＳ４２）、内線種別が通話台のものを抽出する（ステップＳ４３）。全通話台を抽出するために内線情報の全てをサーチする。
【００３２】
　内線種別が通話台の場合は、送信先内線番号のメッセージエリアに受信したメッセージを書き込み（ステップＳ４４）、送信する（ステップＳ４５）。内線種別が通話台以外の場合は、ステップＳ４４，Ｓ４５をジャンプする。次いで、内線情報登録エリア全てをサーチしたかどうか判定し（ステップＳ４６）、終了していなければステップＳ４２以降の処理を繰り返す。
【００３３】
　次に、図７に示すフローチャートを参照しながら、メモメール端末受信制御プログラムによる端末受信処置について説明する。この処理は交換装置からＩＳＤＮ基本インターフェイスの信号用チャンネル（Ｄチャンネル）からの呼制御メッセージを電話端末装置３が受信すると、受信回路５１がＭＰＵ４０に割り込み信号を送信し、ＭＰＵ４０が処理を起動することで始まる。
【００３４】
　まず、呼制御メッセージ送受信バッファ４４に蓄積された呼制御メッセージ（メモメールメッセージ）を一時記憶装置４２の呼制御メッセージ一時受信バッファに移動する（ステップＳ５１）。その後、呼制御メッセージ送受信バッファ４４は解放する。
【００３５】
　次いで、一時記憶装置４２に蓄積された呼制御メッセージから送信種別を抽出し（ステップＳ５２）、送信種別が全台か否か（ステップＳ５３）、個別か否か（ステップＳ５４）判断し、個別であれば受信した呼制御メッセージを一時記憶装置４２内のメモメール受信バッファに蓄積するための準備をする（ステップＳ５５）。
【００３６】
　メモメール受信バッファは数に限りがあり、最大２０メッセージまでしか蓄積できないので、空きがあるか否か判断する（ステップＳ５６）。全バッファ使用中の場合は一番古いメッセージを強制的に破棄し、メモメール受信バッファを一個空にする（ステップＳ５７）。メモメール受信バッファに空きがある場合はステップＳ５７をジャンプする。
【００３７】
　次いで、受信した呼制御メッセージをメモメール受信バッファに蓄積し、呼制御メッセージ一時受信バッファを解放する（ステップＳ５８）。こうして呼制御メッセージを正常に受信し、メモメール受信バッファに蓄積を終了すると、今度は送信元の通話台にメモメール正常受信終了の呼制御メッセージを送信するための呼制御メッセージを編集する（ステップＳ５９）。
【００３８】
　次いで、受信した呼制御メッセージからメモリメール送信元の通話台内線番号を抽出し（ステップＳ６０）、呼制御メッセージ送信先通話台内線番号に変換する（ステップＳ６１）。こうして編集した呼制御メッセージを呼制御メッセージ送受信バッファ４４に書き込み、書き込み終了後、Ｄチャンネルを通じて専用内線回路２から交換装置に送信する（ステップＳ６２）。
【００３９】
　ステップＳ５３で送信種別が全台であれば、一時記憶装置４２内のメモメール受信バッファに空きがあるか否か判断し（ステップＳ６３）、全バッファ使用中の場合は一番古いメッセージを強制的に破棄してメモメール受信バッファを一個空にする（ステップＳ６４）。メモメール受信バッファに空きがあれば、ステップＳ６４をジャンプする。次いで、メモメール受信バッファに受信した呼制御メッセージを蓄積し、呼制御メッセージ一時受信バッファを解放し（ステップＳ６５）、処理を終了する。
【００４０】
　送信種別が全台でも個別でもなければ（ステップＳ５３，Ｓ５４）、異常呼制御メッセージを受信したと判断し（ステップＳ６６）、受信呼制御メッセージを破棄し（ステップＳ６７）、処理を終了する。
【００４１】
　こうして受信したメモメールメッセージが一時記憶装置４２内のメモメール受信バッファに蓄積され、正常に蓄積処理が終了すると、メモメールメッセージを受信したことを表示するために、「メモメール」ボタン３４ａを遅い点滅で表示する。使用者はこの点滅表示を見て「メモメール」ボタン３４ａを押し、メモメールメニュー画面を表示させる。
【００４２】
　図８に、メモメールメニュー画面を示す。送信元内線番号を表示するウィンドウＧ１１と、受信したメモメールメッセージの内容の最初の一行を表示するウィンドウＧ１２とによって使用者に受信したメモメールメッセージの概要を知らせる。
【００４３】
　上矢印ボタンＧ１３および下矢印ボタンＧ１４は表示しているメモメールメッセージの概要を選択するためのボタンで、上矢印ボタンＧ１３と下矢印ボタンＧ１４とで選択したメモメールメッセージの詳細内容は、表示画面ボタンＧ１５を押すことで表示される。
【００４４】
　受信したメモメールメッセージの削除は、メモメール内容表示画面の削除ボタンを押すことでメモメール受信バッファに蓄積されているメモメールメッセージを削除し、メモメール受信バッファを空き状態に遷移することで行われる。
【図面の簡単な説明】
【００４５】
【図１】本発明の一実施の形態によるテキストデータ転送方法および装置が適用されるディーリング・システムを示すブロック図である。
【図２】図１に示す電話端末装置の盤面図である。
【図３】図１に示す電話端末装置のブロック図である。
【図４】メモメール端末送信処理を示すフローチャートである。
【図５】ＬＣＤに表示されるメモメール送信入力画面の画面構成図である。
【図６】ＰＢＸ受信送信処理を示すフローチャートである。
【図７】メモメール端末受信処理を示すフローチャートである。
【図８】ＬＣＤに表示されるメモメールメニュー画面の画面構成図である。
【符号の説明】
【００４６】
　　　１　　通話路スイッチ
　　　２　　専用内線回路（ＤＬＩＮ）
　　　３　　電話端末装置
　　　４　　接続ケーブル
　　　５　　トランク（ＴＲＫ）
　　　６　　中央制御装置（ＣＣ）
　　　７　　記憶装置（ＭＭ）
　　　８　　制御バス
　　　３３　キーボード
　　　３４　液晶表示装置（ＬＣＤ）
　　　４０　呼制御プロセッサ（ＭＰＵ）
　　　４４　呼制御メッセージ送受信バッファ
　　　５１　受信回路
　　　５２　送信回路
【図１】
2004104827.tif 000003
【図２】
2004104827.tif 000004
【図３】
2004104827.tif 000005
【図４】
2004104827.tif 000006
【図５】
2004104827.tif 000007
【図６】
2004104827.tif 000008
【図７】
2004104827.tif 000009
【図８】
2004104827.tif 000010